【事件の表示】
　特願２００８−２５１５４９「電気二重層キャパシタ用分極性電極及びそれを用いた電気二重層キャパシタ」拒絶査定不服審判事件〔平成２１年　５月　７日出願公開、特開２００９−　９９９７８〕について、次のとおり審決する。
【結　論】
　本件審判の請求は、成り立たない。
【理　由】
第１　手続の経緯
　本願は、平成２０年９月２９日（優先権主張　２００７年９月２８日　日本国（ＪＰ））の出願であって、平成２４年８月３０日付けで手続補正がなされるとともに、平成２５年２月２８日付けで拒絶査定がなされ、これに対し、同年６月１１日に拒絶査定に対する審判請求がなされたものである。
　
 第２　本願発明について
　本願の請求項１に係る発明（以下、「本願発明」という。）は、平成２４年８月３０日付け手続補正書の特許請求の範囲の請求項１に記載された事項により特定される、以下のとおりのものである。
「アニオンとしてフッ素イオンを含む電解液を有する電気二重層キャパシタに用いられる分極性電極において、単位面積当たりの静電容量が５０〜１００μＦ／ｃｍ2であってアルミニウムエッチング箔である集電体を有することを特徴とする電気二重層キャパシタ用分極性電極。」
　
（１）引用文献等に記載された発明
（ア）引用例１：特開２００１−２１６９５６号公報
　原査定の拒絶の理由に引用され、本願の優先権主張の日前に日本国内において頒布された引用例１には、「電池・キャパシタ用電極の製造方法」（発明の名称）に関して、図１とともに以下の事項が記載されている。（なお、下線は、引用箇所のうち特に強調する部分に付加した。以下、同様。）
　
「【０００４】このような蓄電池または電気二重層キャパシタに用いられる電極は、基本的には、金属箔よりなる集電体と、この集電体の表面に形成された活物質層とから構成されている。例えば、
キャパシタ用電極であれば、アルミニウム箔等の集電体と、この集電体の表面に形成され分極性電極として機能する活物質層とから構成されている
　
「【００２１】
【発明の実施の形態】以下、実施例により本発明を更に具体的に説明する。
（実施例１）本実施例は、本発明の電池・キャパシタ用電極の製造方法を電気二重層キャパシタ用電極の製造に適用した例である。」
　
「【００２３】
集電体としてのアルミニウム箔２は、厚さ１７μｍ、幅１５０ｍｍ、長さ５００ｍの帯状体である
エッチング処理により
本実施例のアルミニウム箔２としては、日本蓄電池工業株式会社製の商品名「エッチドアルミ箔  ＪＣＣ−１５ＣＢ」を用いた
　
「【００３３】
本発明の方法により製造された電極は、ニッケル−カドミウム電池、ニッケル−水素電池やリチウムイオン二次電池等の蓄電池、または電気二重層キャパシタとして用いることができる
　
　上記【０００４】及び【００２３】にあるように、引用例１には、電気二重層キャパシタの分極性電極において、エッチング処理したアルミニウム箔集電体を用いることの開示があり、具体的商品名として、日本蓄電池工業株式会社製の「エッチドアルミ箔　ＪＣＣ−１５ＣＢ」があげられている。　
　したがって、引用例１には、「電気二重層キャパシタに用いられる分極性電極において、日本蓄電池工業株式会社製の商品名「エッチドアルミ箔　ＪＣＣ−１５ＣＢ」を用いた集電体を有することを特徴とする電気二重層キャパシタ用分極性電極。」（以下、「引用発明」という。）が記載されている。（なお、「日本蓄電池工業株式会社」は、「日本蓄電器工業株式会社」の誤記であると認める。）
　
（イ）引用例２：陰極箔性能一覧表、ホームページ，［ｏｎｌｉｎｅ］，日本，日本蓄電器工業株式会社，１９９９年１２月１０日，［検索日：２０１２年６月２１日］，ＵＲＬ，ｈｔｔｐ：／／ｗｅｂ．ａｒｃｈｉｖｅ．ｏｒｇ／ｗｅｂ／１９９９１２１０１９３５５２／ｈｔｔｐ：／／ｗｗｗ．ｊｃｃ−ｆｏｉｌ．ｃｏ．ｊｐ／ｆｒａｍｅ．ｈｔｍ
　
　原査定の拒絶の理由に引用され、本願の優先権主張の日前に日本国内において、電気通信回線を通じて公衆に利用可能となった引用例２には、「陰極箔性能一覧表」（題名）に関して、以下の事項が記載されている。
　
  
　
　
　
　
　
（ウ）周知例３：特開２００３−３２４０３８号公報
　例えば、本願の優先権主張の日前に日本国内において頒布された上記周知例３には、「電気化学キャパシタ用電解液及びそれを用いた電気化学キャパシタ」（発明の名称）に関して、以下の事項が記載されている。
　
「【請求項１】  強酸のアニオンと強塩基のカチオンとからなる電解質塩が非水溶媒に溶解されてなる電気化学キャパシタ用電解液であって、該アニオンとカチオンの当量比が０．９９〜１．０１であることを特徴とする電気化学キャパシタ用電解液。
【請求項２】  電解質塩が一般式（１）で表される第４級アンモニウム塩又は第４級ホスホニウム塩であることを特徴とする、請求項１記載の電解液。
Ｑ＋Ｘ−      （１）
［式中、Ｑ＋は第４級アンモニウムイオン又は第４級ホスホニウムイオンを表し、
Ｘ
−
はＰＦ
６
−
、ＢＦ
４
−
、ＡｓＦ
６
−
、ＳｂＦ
６
−
、Ｎ（ＲｆＳＯ
２
）
２
−
、Ｃ（ＲｆＳＯ
２
）
３
−
、ＲｆＣＯＯ
−
、及びＲｆＳＯ
３
−
（Ｒｆは炭素数１〜１２のフルオロアルキル基）よりなる群から選ばれる対イオンを表す
　
「【００２９】集電体は、電気化学的及び化学的に耐腐食性のものであればよく、特に限定されるものではないが、例えば、
正極集電体としてはステンレス、アルミニウム、チタン、タンタル等；負極集電体としては、ステンレス、アルミニウム、ニッケル及び銅等が好適に使用される
　
（２）本願発明と引用発明との対比・判断
　本願発明と引用発明とを対比すると、引用発明の「エッチドアルミ箔」は、本願発明の「アルミニウムエッチング箔」に相当する。
　
　ゆえに、両者は「電気二重層キャパシタに用いられる分極性電極において、アルミニウムエッチング箔である集電体を有することを特徴とする電気二重層キャパシタ用分極性電極。」である点で一致し、以下の点で相違する。
　
｛相違点１｝
　本願発明は、アルミニウムエッチング箔である集電体が「単位面積当たりの静電容量が５０〜１００μＦ／ｃｍ２であ」るのに対して、引用発明は「日本蓄電器工業株式会社製の商品名「エッチドアルミ箔　ＪＣＣ−１５ＣＢ」」を用いた集電体としている点。
｛相違点２｝
　本願発明は、「アニオンとしてフッ素イオンを含む電解液を有する」電気二重層キャパシタであるのに対し、引用発明は上記構成を明記していない点。
　
　そこで、上記相違点について検討する。
｛相違点１について｝
　引用例２の前記一覧表には、その一番目の項目に、引用発明に用いられている日本蓄電器工業株式会社製の商品名「ＪＣＣ−１５ＣＢ」のアルミニウムエッチング箔は、単位面積当たりの静電容量が、「６７μＦ／ｃｍ２」と記載されているから、引用発明において、アルミニウムエッチング箔である集電体が「単位面積当たりの静電容量が５０〜１００μＦ／ｃｍ２」とする相違点１は実質的な相違点ではない。
｛相違点２について｝　
　周知例３の請求項２に「Ｘ−はＰＦ６−、ＢＦ４−、・・・」とあることからも明らかなように、電気二重層キャパシタの電解液において、「アニオンとしてフッ素イオン（Ｆ−）」を含ませることは周知であるから、引用発明において「アニオンとしてフッ素イオンを含む電解液を有する」電気二重層キャパシタを用いることは、当業者が容易に想到し得ることである。
　
　よって、本願発明は、引用例に記載された発明及び周知の技術に基づいて、当業者が容易に発明することができたものである。
　
第３　むすび
　以上のとおり、本願発明は、引用例に記載された発明及び周知の技術に基づいて、当業者が容易に発明することができたものであるから、特許法第２９条第２項の規定により特許を受けることができず、他の請求項に係る発明について検討するまでもなく、本願は拒絶されるべきものである。
よって、結論のとおり審決する。